(57)【特許請求の範囲】
【請求項１】
文字メッセージの送受信を行うメール機能を備え、
送信用の文字メッセージを入力する文字入力手段と、
前記文字入力手段により入力された文字メッセージの送信や送られてきた文字メッセージの受信を行う文字メッセージ送受信手段と、
前記文字入力手段で入力された送信用の文字メッセージや前記文字メッセージ送受信手段により受信した文字メッセージを表示する表示手段と、
前記送信用の文字メッセージおよび受信した文字メッセージを音声合成して音声出力する音声合成手段と、
送信する文字メッセージを音声にて送信する文字メッセージ音声送信手段とを有し、
作成した送信用の文字メッセージを送信するとき、予め所定のキー操作により音声による文字メッセージの送信を選択すると、前記文字メッセージ音声送信手段は前記文字メッセージの内容を前記音声合成手段により音声合成して文字メッセージの音声による音声送信処理を行い、音声送信を選択しなければ通常のメール機能である文字送信処理が行われ、
指定された送信先に対して発呼処理を行い、応答後に前記文字メッセージの内容を前記文字メッセージ音声送信手段による音声送信又は通常のメール機能である文字送信を前記指定された送信先に対して行うことを特徴とする電話機。
【請求項２】
請求項１に記載の電話機において、
遠隔にある電話機から送られてきた制御命令を解析して実行する遠隔制御手段を有し、
前記遠隔制御手段が文字メッセージの音声出力を行う命令を受信すると、受信した文字メッセージの内容を前記音声合成手段により音声合成し、この命令を行った電話機にその内容を音声にて送信することを特徴とする電話機。
【請求項３】
請求項１に記載の電話機において、
前記文字メッセージを受信すると、このメッセージの転送先としてあらかじめ設定されている電話機への発呼処理を行い、応答後に前記文字メッセージの内容を前記音声合成手段により音声合成して音声にて送信する文字メッセージ転送手段を有することを特徴とする電話機。
【請求項４】
請求項１に記載の電話機において、
音声を出力するスピーカを有し、前記文字入力手段で作成した文字メッセージを音声で確認することを選択すると、作成した文字メッセージが音声合成されてスピーカより出力されることを特徴とする電話機。
【発明の詳細な説明】
【０００１】
【発明の属する技術分野】
本発明は電話機、より具体的には音声合成による音声出力機能を備えた電話機に関する。
【０００２】
【従来の技術】
近年、電話機の高機能化が進み、親機と子機より構成される家庭用コードレス電話でも文字メッセージの送受信機能を備えた機種が開発、販売されている。このようなコードレス電話では、ＤＴＭＦ送受信部を備え、文字メッセージをＤＴＭＦ信号により送受信していた。
具体的には、例えば作成した文字メッセージは液晶ディスプレイに表示され、これを確認後、文字メッセージの送信操作が行なわれると、作成した文字がＤＴＭＦコードに変換されて送信先に送信される。また、文字メッセージをＤＴＭＦコードで受信すると、このコードを文字メッセージに変換して液晶ディスプレイに表示していた。
【０００３】
【発明が解決しようとする課題】
しかしながら、このような従来技術における電話機では、作成した文字メッセージや受信した文字メッセージは、液晶ディスプレイに表示しないとその内容を確認することはできなかった。また、一般に電話機に使用される液晶ディスプレイは表示面積が小さいため、使用者によっては表示された文字を確認しずらいことがある。
しかしそのような場合でも、表示された内容を目で確認する以外に、作成した文字メッセージや受信した文字メッセージの内容を確認する手段が他には無かった。また、文字メッセージ以外に、例えば電話機のサービス機能の設定項目等を確認する場合でも目視による確認方法しか無かった。
【０００４】
さらに、遠隔より受信した文字メッセージの内容を確認したい場合でも、機種の異なる電話機では文字メッセージを受信することができなかったため、確認することができなかった。また、作成した文字メッセージは目の不自由な人には送信することができないという問題もあった。
本発明はこのような従来技術の課題を解決し、従来文字により表示していた内容を音声により確認することができる音声出力機能付電話機を提供することを目的とする。
【０００５】
【課題を解決するための手段】
本発明は上述の課題を解決するために、文字メッセージの送受信を行うメール機能を備えた電話機は、送信用の文字メッセージを入力する文字入力手段と、文字入力手段により入力された文字メッセージの送信や送られてきた文字メッセージの受信を行う文字メッセージ送受信手段と、文字入力手段で入力された送信用の文字メッセージや文字メッセージ送受信手段により受信した文字メッセージを表示する表示手段と、送信用の文字メッセージおよび受信した文字メッセージを音声合成して音声出力する音声合成手段と、送信する文字メッセージを音声にて送信する文字メッセージ音声送信手段とを有し、作成した送信用の文字メッセージを送信するとき、予め所定のキー操作により音声による文字メッセージの送信を選択すると、文字メッセージ音声送信手段は文字メッセージの内容を音声合成手段により音声合成して文字メッセージの音声による音声送信処理を行い、音声送信を選択しなければ通常のメール機能である文字送信処理が行われ、指定された送信先に対して発呼処理を行い、応答後に文字メッセージの内容を文字メッセージ音声送信手段による音声送信又は通常のメール機能である文字送信を指定された送信先に対して行う。
【０００６】
また、本発明の電話機は、遠隔にある電話機から送られてきた制御命令を解析して実行する遠隔制御手段を有し、遠隔制御手段が文字メッセージの音声出力を行う命令を受信すると、受信した文字メッセージの内容を音声合成手段により音声合成し、この命令を行った電話機にその内容を音声にて送信することを特徴とする。
また、文字メッセージを受信すると、このメッセージの転送先としてあらかじめ設定されている電話機への発呼処理を行い、応答後に文字メッセージの内容を音声合成手段により音声合成して音声にて送信する文字メッセージ転送手段を有する。
さらに、本発明の電話機は、音声を出力するスピーカを有し、文字入力手段で作成した文字メッセージを音声で確認することを選択すると、作成した文字メッセージが音声合成されてスピーカより出力されることを特徴とする。
【０００７】
【発明の実施の形態】
次に添付図面を参照して本発明による音声出力機能付電話機の実施の形態を詳細に説明する。
図１は、本発明による音声出力機能付電話機の実施の形態を示す機能ブロック図であり、音声出力機能の他に文字メッセージを送受信できるメール機能を備えている。図１に示した電話機はまた、遠隔操作を可能とする外線リモコン機能や、受信した文字メッセージ等を他の電話機に自動転送する文字メッセージ自動転送機能を備えている。
【０００８】
図１において、極性一致回路１１は、局交換機の電話回線（以後、加入者線と称す）に接続され、この回線電圧の極性を一致させるための回路であり、ダイオードによる全波整流回路により構成されている。
リンガー検出回路１２は、同様に局交換機の加入者線に接続され、局交換機からの呼出信号を検出する検出回路である。リンガー検出回路１２は、マイクロコンピュータ３０にも接続され、呼出信号を検出するとこのコンピュータ３０に通知する。
フックスイッチ回路１４は、オフフック操作が行われると回線ループを形成するとともに、局に対してダイヤルパルスを送出する回路である。フックスイッチ回路１４は、極性一致回路１１に接続されるトランジスタ１４ａとマイクロコンピュータ３０で制御されるトランジスタ１４ｂの２つのスイッチング素子により構成されている。
【０００９】
具体的には、オフフック操作（応答または発信操作）が行われると、マイクロコンピュータ３０は、トランジスタ１４ｂを制御してトランジスタ１４ａを導通状態にし、極性一致回路１１とスピーチネットワーク１６とを接続する。フックスイッチ回路１４はまた、トランジスタ１４ａがマイクロコンピュータ３０によりトランジスタ１４ｂを介してオン・オフ制御されることで、ダイヤルパルスを局交換機に送出する。
【００１０】
スピーチネットワーク１６は２線−４線変換およびＶＯＸ検出を行う回路である。すなわち、スピーチネットワーク１６により、２線式の加入者線の信号が４線式の信号に変換されてＤＴＭＦ送受信部１８やＤＳＰ２０に送られる。また、スピーチネットワーク１６には受話器１３、マイク１５、スピーカ１７が接続されている。
ＤＴＭＦ送受信部１８は、相手側端末から送信された文字メッセージデータ等のＤＴＭＦ信号を受信してその内容をマイクロコンピュータ３０に通知したり、このマイクロコンピュータ３０から送られてきた文字メッセージデータ等をＤＴＭＦ信号に変換して送出する回路である。
【００１１】
具体的には、ＤＴＭＦ送受信部１８は、スピーチネットワーク１６より文字メッセージ送信に関する開始コードや終了コードまたは文字メッセージ等をＤＴＭＦ信号により受信すると、マイクロコンピュータ３０が処理できるデータに変換してこれに出力する。ＤＴＭＦ送受信部１８はまた、マイクロコンピュータ３０より文字メッセージの送信に関係する開始コードや終了コードまたは文字メッセージ等のデータを受信すると、ＤＴＭＦ信号に変換してスピーチネットワーク１６に出力する。
【００１２】
ＤＳＰ２０はデジタル信号処理プロセッサであり、機能的にはモデムデータ（ナンバーディスプレイデータ）の解析を行うコーラＩＤＩＣ２０ａの機能と、文字データより人工的な音声信号を生成出力する音声合成部２０ｂの機能を備えている。コーラーＩＤＩＣ２０は、スピーチネットワーク１６を介して加入者線より送られてきた発呼者端末の電話番号である発信番号データを解析し、その解析結果をマイクロコンピュータ３０に通知する。
【００１３】
音声合成部２０ｂは、マイクロコンピュータ３０から入力した文字データを音声合成してスピーチネットワーク１６に出力する音声合成部である。すなわち、音声合成部２０ｂはマイクロコンピュータから入力した文字コードを５０音分の音声データに変換して再生する音声合成発声機能を備えている。尚、５０音分の音声データは前記ＤＳＰ２０の内部メモリ内に記憶されており、前記音声データはＤＳＰ２０の外部メモリ内に記憶してあってもよい。
【００１４】
キー操作部２２はダイヤルキーや機能キー等の各種キーが配設された、ユーザにより操作される操作部である。このキー操作部２２のダイヤルキーや機能キーを操作することにより、発呼や着呼、転送設定等を電話機に対して行うことができる。また、キー操作部２２は文字メッセージを入力したり編集したりする文字入力手段として機能する。
【００１５】
さらに、メール機能を起動して文字メッセージの送信処理、受信処理を行う場合もこのキー操作部２２を用いる。また、メール機能により作成した文字メッセージや受信した文字メッセージを音声出力したり、設定したサービス機能の内容を音声出力したりする場合も、このキー操作部２２の所定のキーを操作することにより行う。
【００１６】
ＬＣＤ表示部２６は、マイクロコンピュータ３０に接続され、これより送られてきた各種の表示データを表示する表示部である。すなわち、ＬＣＤ表示部２６は、発呼時にダイヤルした電話番号を表示したり、着信時に加入者線より送られてきた発呼者端末の電話番号を表示する。また、ＬＣＤ表示部２６は、キー操作部２２でキー入力された文字メッセージや受信した文字メッセージも表示する。さらに、ＬＣＤ表示部２６は電話機の各種サービス機能の設定内容も表示する。コンパンダＩＣ２７、ＲＦモジュール２８およびアンテナ２９は、子機（図示せず）と無線通信を行うための回路である。
【００１７】
マイクロコンピュータ３０は、電話機の全体を制御する制御回路であり、入出力ポート３２、ＣＰＵ３４、ＲＡＭ３６、ＲＯＭ３８およびＥ2 ＰＲＯＭ３９により構成されている。入出力ポート３２は、リンガー検出回路１２、フックスイッチ回路１４、スピーチネットワーク１６、ＤＴＭＦ送受信部１８、コーラーＩＤＩＣ２０ａ、音声合成部２０ｂ、キー操作部２２、ＬＣＤ表示部２６およびコンパンダＩＣ２７に接続され、これら各構成要素とＣＰＵ３４とを接続する。
【００１８】
ＣＰＵ３４は、入出力ポート３２を介して信号を入力し、この入力した信号に応じて入出力ポート３２に接続された各構成要素を制御する。すなわち、ＣＰＵ３４はＲＯＭ３８に格納された呼処理プログラムにしたがって、通話に伴う呼処理や各種サービス機能に伴う処理を実行する。サービス機能の一具体例としては、ＣＰＵ３４はユーザによってメール機能が起動されて文字メッセージが作成されると、その文字メッセージをＤＴＭＦコードでＥ2 ＰＲＯＭ３９に記憶する。
【００１９】
ＣＰＵ３４は、文字メッセージの送信操作が行われると、Ｅ2 ＰＲＯＭ３９に記憶された文字メッセージの中から指定された文字メッセージのデータをＤＴＭＦ送受信部１８に出力し、文字メッセージの送信処理を実行する。ＣＰＵ３４はまた、作成した文字メッセージの音声出力操作を検出すると、その文字データをＤＳＰ２０内の音声合成部２０ｂに出力して音声合成を行い、スピーチネットワーク１６を介してスピーカ１７より音声出力する。
【００２０】
図１に示した本実施の形態の電話機において、文字メッセージはＤＴＭＦコードにより相手先に送信されるが、例えば目の不自由な人等に文字メッセージを送る場合を考慮し、ＤＴＭＦコードの代わりに音声によりメッセージを伝えることができる。具体的には、文字メッセージの送信先に応じて「文字メッセージを音声に変換」を選択することができ、これを選択した送信先に対しては作成した文字メッセージの内容を音声で伝える。
【００２１】
また、ＣＰＵ３４は、ＤＴＭＦ送受信部１８より文字メッセージを受信すると、そのデータをＥ2 ＰＲＯＭ３９に記憶する。ＣＰＵ３４は、受信した文字メッセージの内容を確認する命令を受けると、該当する文字メッセージをＬＣＤ表示部２６に表示する。ＣＰＵ３４はまた、受信した文字メッセージの音声出力命令を検出すると、先程と同様にその文字データを音声合成部２０ｂに出力して音声合成を行い、スピーチネットワーク１６を介してスピーカ１７より音声出力する。
【００２２】
さらに、ＣＰＵ３４は、当該電話機における種々の設定項目の内容を音声により確認する旨の命令を検出すると、設定項目のデータを音声合成部２０ｂに出力する。これにより、種々の設定項目の内容を音声により確認することができる。また、ＣＰＵ３４はＬＣＤ表示部２６に表示されている内容を音声出力する旨の命令を受けると、表示しているデータを音声合成部２０ｂに出力する。このように、ＬＣＤ表示部２６に表示されている内容を音声合成することにより音声にて確認することができる。
【００２３】
また、ＣＰＵ３４は遠隔からの制御を可能とする外線リモコン機能の制御モードが設定されている場合、所定の呼出回数に達するとフックスイッチ回路１４を制御して自動応答を行う。そして、相手端末から受信した暗証番号のＤＴＭＦ信号をＤＴＭＦ送受信部１８で解析し、その結果、暗証番号が正しければ受信した命令に従って電話機の制御を行う。このように電話機を遠隔制御することにより、例えば受信した文字メッセージの内容を離れていても音声で確認することができる。
【００２４】
具体的には、文字メッセージを確認する場合のＤＴＭＦ信号を受信した場合、未読の文字メッセージがあれば、音声ガイダンスにより日時と発信者を音声にて通知する。そして、通知後、内容を確認する旨のＤＴＭＦ信号を受信すると、文字メッセージをＤＴＭＦ送受信部１８によりＤＴＭＦコードに変換し、音声合成部２０ｂで音声合成してその内容を伝える。また、もし未読の文字メッセージが無ければ、文字メッセージが無い旨の音声ガイダンスを送信し、回線の切断処理を行う。
【００２５】
さらに、文字メールを受信した場合に携帯電話機等の他の電話機に自動転送する文字メール自動転送モードが設定されている場合、文字メールを受信するとＣＰＵ３４は転送先への発呼処理を行う。そして、転送先が応答すると、受信した文字メッセージを音声合成部２０ｂに出力し、音声合成を行ってスピーチネットワーク１６に出力し、転送先にその内容を伝える。
【００２６】
Ｅ2 ＰＲＯＭ３９は作成した文字メッセージや受信した文字メッセージを記憶する不揮発性メモリである。図２はＥ2 ＰＲＯＭ３９に記憶される文字メッセージの格納状態を示した説明図である。図２に示すように、１件の文字メッセージの文字数は２４文字で１文字に対して２バイト(byte)が割り当てられる。ＤＴＭＦコードは１バイト単位であるため、ＤＴＭＦコード２桁で１文字が割り当てられる。Ｅ2 ＰＲＯＭ３９はまた、各種サービス機能の設定内容や電話帳に登録した内容も記憶される。
ＲＡＭ３６はＣＰＵ３４が呼処理を含む各処理を実行するにあたって使用するメモリである。ここには、Ｅ2 ＰＲＯＭ３９と異なり、一時的なデータが記憶される。
【００２７】
図３は本実施の形態における音声出力機能付電話機の動作例を示すフローチャートであり、ここではメール機能起動後の動作を示している。以下、図１および図３を用いて本実施の形態の動作を説明する。キー操作部２２を操作して文字メール機能を起動すると（Ｓ３００）、ＬＣＤ表示部２６には文字メッセージを作成するか、または受信メッセージの確認を行うかの選択画面が表示される。ここで文字メッセージの作成を選択すると（Ｓ３０２）、文字メッセージの作成画面になるので、この状態でキー操作部２２を操作して送信するメッセージを入力する。
【００２８】
キー操作部２２により入力された文字はＬＣＤ表示部２６に表示される。また、作成した文字メッセージを音声で確認することができ、これを選択すると作成した文字メッセージが音声合成部２０ｂによって音声合成されてスピーカ１７より出力される（Ｓ３０４，Ｓ３０６）。確認後、作成した文字メッセージで良ければ（Ｓ３０８）、この文字メッセージを送信するかどうかの選択を行う。
【００２９】
このとき音声による文字メッセージの送信を選択すると（Ｓ３１０）、作成した文字メッセージが音声合成部２０ｂで音声合成されて相手方に通知される音声送信処理が実行される（Ｓ３１２）。また、音声送信を選択しなければ（Ｓ３１０）、通常のメール機能である文字送信処理が実行される。なお、ステップＳ３０８において、作成した文字メッセージを変更したい場合は、文字メッセージの修正を行って（Ｓ３１４）、ステップＳ３０４に戻る。
【００３０】
また、ステップＳ３０２で文字メッセージの作成を選択せず、受信メッセージの確認を選択すると（Ｓ３１６）、受信メッセージの一覧が表示される（Ｓ３１８）。このとき、まだ読んでいない未読メッセージにはマークが記される。一覧表示の中から所望の文字メッセージを選択すると、このメッセージがＬＣＤ表示部２６に表示される（Ｓ３２０）。また、文字メッセージがＬＣＤ表示部２６に表示されている状態で音声出力を選択すると（Ｓ３２２）、このメッセージが音声合成部２０ｂによって音声合成されてスピーカ１７より出力される。
【００３１】
なお、図３の動作説明では作成した文字メッセージまたは受信した文字メッセージのみを音声出力する場合を例に説明したが、例えば文字メール起動を含めて音声ガイダンスで操作の案内を行うようにすれば、目の不自由な人でも安心してメール機能や種々のサービス機能を使用することができる。
また、図３の動作説明ではメール機能における音声出力を説明したが、本発明は特にこれに限定されるものでは無い。すなわち、前述したようにＬＣＤ表示部２６に表示した内容を音声合成で再生したり、外線リモコン機能により受信した文字メッセージの内容を音声合成により音声出力したり、文字メッセージを受信した場合に携帯電話等に転送して音声合成によりその内容を通知することもできる。
【００３２】
【発明の効果】
このように本発明の電話機によれば、いままで表示部に表示された文字により確認していた内容を音声で確認することができるので、目の不自由な人でも種々の機能を使用することができる等、操作性の向上を期待できる。
【図面の簡単な説明】
【図１】本発明による音声出力機能付電話機の実施の形態を示す機能ブロック図。
【図２】文字メッセージが記憶部に記憶されるときの状態を示した説明図。
【図３】図１に示した音声出力機能付電話機におけるメール機能の動作を示すフローチャート。
【符号の説明】
１１    極性一致回路
１２    リンガー検出回路
１３    受話器
１４    フックスイッチ
１５    マイク
１６    スピーチネットワーク
１７    スピーカ
１８    ＤＴＭＦ送受信部
２０    ＤＳＰ
２０ａ  コーラＩＤＩＣ
２０ｂ  音声合成部
２２    キー操作部
２６    ＬＣＤ表示部
２７    コンパンダＩＣ
２８    ＲＦモジュール
２９    アンテナ
３０    マイクロコンピュータ
３２    入出力ポート
３４    ＣＰＵ
３６    ＲＡＭ
３８    ＲＯＭ
３９    Ｅ2 ＰＲＯＭ
【図１】
0003757083.tif 000002
【図２】
0003757083.tif 000003
【図３】
0003757083.tif 000004